(57)【特許請求の範囲】
【請求項１】
カメラ付玄関子機（１００）からの呼出をモニター親機（２００）の呼出検出回路（２１２）で呼出検出し、前記カメラ付玄関子機のカメラ回路（１０１）からの映像を前記モニター親機のモニタ（２０４）で見ながら前記カメラ付玄関子機と前記モニター親機とにより通話を行なうテレビインターホン装置において、
前記モニター親機は、前記カメラ付玄関子機からの呼出時に前記モニタの出画時間を設定する呼出時出画時間設定スイッチ（２１７）と、前記呼出時出画時間設定スイッチにより設定された呼出時出画時間が入力され前記呼出時に前記モニタの出画時間を制御するＣＰＵ（２１４）と、前記ＣＰＵにより制御され前記出画時間だけ前記映像を出画させる出画制御回路（２０５）と、前記呼出時出画時間設定スイッチの設定により前記カメラ付玄関子機の映像系回路（１０１、１０２）および通話系回路（１０９、１１１）を起動させる電源を供給する玄関子機起動電源送出回路（２１０）と、前記呼出時出画時間設定スイッチの設定により前記通話系回路のみを起動させる電源を供給する通話回路起動電源送出回路（２１１）とを備え、
前記カメラ付玄関子機は、前記玄関子機起動電源送出回路から送出される電源により前記映像系回路を起動させる映像回路起動電圧検出回路（１０５）と、前記玄関子機起動電源送出回路および前記通話回路起動電源送出回路の一方から送出される電源により前記通話系回路を起動させる通話回路起動電圧検出回路（１０７）とを備えたことを特徴とするテレビインターホン装置。
【発明の詳細な説明】
【０００１】
【発明の属する技術分野】
本発明は、テレビインターホン装置に係わり、特に、消費電力の無駄をなくし得るテレビインターホン装置に関する。
【０００２】
【従来の技術】
従来から、この種のテレビインターホン装置として、図２に示すようなものが知られている。
【０００３】
図２は、従来のテレビインターホン装置のブロック図を示している。同図において、従来のテレビインターホン装置は、屋外に設置されるカメラ付玄関子機３００と、屋内に設置されるモニター親機４００と、これらのカメラ付玄関子機３００およびモニター親機４００間を接続するケーブルｂとを備えている。
【０００４】
カメラ付玄関子機３００は、カメラ回路３０１、ＦＭ変調回路３０２、不平衡−平衡変換回路３０３、低域通過フィルター（ＬＰＦ）３０４、呼出ボタン３０５、起動電圧検出回路３０６、スピーカ３０７、スピーカアンプ３０８、マイク３０９、マイクアンプ３１０および２線４線変換回路３１１を備えている。
【０００５】
カメラ付玄関子機３００のカメラ回路３０１は、ＦＭ変調回路３０２を介して不平衡−平衡変換回路３０３に接続され、この不平衡−平衡変換回路３０３は、ケーブルｂを介してモニター親機４００に接続されている。ケーブルｂは、低域通過フィルター（ＬＰＦ）３０４を介して、呼出ボタン３０５、起動電圧検出回路３０６および２線４線変換回路３１１に接続され、起動電圧検出回路３０６には、カメラ回路３０１、ＦＭ変調回路３０２、スピーカアンプ３０８およびマイクアンプ３１０が接続されている。２線４線変換回路３１１は、スピーカアンプ３０８およびマイクアンプ３１０に接続され、スピーカアンプ３０８には、スピーカ３０７が、マイクアンプ３１０には、マイク３０９がそれぞれ接続されている。
【０００６】
一方、モニター親機４００は、平衡−不平衡変換回路４０１、ＦＭ復調回路４０２、ビデオアンプ４０３、ＣＲＴユニット４０４、出画制御回路４０５、２線４線変換回路４０６、受話アンプ４０７、送話アンプ４０８、レーシーバ４０９ａとマイク４０９ｂから成る送受話器４０９、玄関子機起動電源送出回路４１０、呼出検出回路４１１、フックスイッチ４１２、ＣＰＵ４１３、呼出音アンプ４１４、拡声スピーカ４１５および電源回路４１６を備えている。
【０００７】
モニター親機４００の平衡−不平衡変換回路４０１は、ケーブルｂを介してカメラ付玄関子機３００の不平衡−平衡変換回路３０３に接続され、このケーブルｂには、２線４線変換回路４０６、玄関子機起動電源送出回路４１０および呼出検出回路４１１が接続されている。ＦＭ復調回路４０２は、平衡−不平衡変換回路４０１およびビデオアンプ４０３に接続され、ビデオアンプ４０３には、ＣＲＴユニット４０４が接続されている。２線４線変換回路４０６は、受話アンプ４０７および送話アンプ４０８に接続され、受話アンプ４０７にはレシーバ４０９ａが、送話アンプ４０８にはマイク４０９ｂがそれぞれ接続されている。ＣＰＵ４１３は、玄関子機起動電源送出回路４１０、出画制御回路４０５、受話アンプ４０７、送話アンプ４０８、呼出検出回路４１１、フックスイッチ４１２および呼出音アンプ４１４に接続され、出画制御回路４０５には、ＦＭ復調回路４０２、ビデオアンプ４０３およびＣＲＴユニット４０４が接続され、呼出音アンプ４１４には、拡声スピーカ４１５およびケーブルｂが接続されている。
【０００８】
次に、このように構成された従来のテレビインターホン装置の動作について述べる。先ず、来客者がカメラ付玄関子機３００の呼出ボタン３０５を押すと、呼出信号が、低域通過フィルター（ＬＰＦ）３０４およびケーブルｂを経由して、モニター親機４００の呼出検出回路４１１へ送出される。しかして、呼出検出回路４１１がカメラ付玄関子機３００からの呼出信号を検出すると、ＣＰＵ４１３の制御によって、玄関子機起動電源送出回路４１０が駆動され、これにより、カメラ付玄関子機３００を起動する電源がケーブルｂを介してカメラ付玄関子機３００へ送出される。かかるカメラ付玄関子機３００を起動する電源が、カメラ付玄関子機３００の起動電圧検出回路３０６で検出されると、カメラ付玄関子機３００のカメラ回路３０１、ＦＭ変調回路３０２、スピーカアンプ３０８およびマイクアンプ３１０の各部へ電源が供給される。これにより、カメラ付玄関子機３００のカメラ回路３０１から、ＦＭ映像信号がＦＭ変調回路３０２、不平衡−平衡変換回路３０３およびケーブルｂを介して、モニター親機４００側に送出されると共に、スピーカアンプ３０８およびマイクアンプ３１０が作動し通話可能状態となる。
【０００９】
一方、モニター親機４００のＣＰＵ４１３によって出画制御回路４０５が制御され、この出画制御回路４０５の制御によって、ＦＭ復調回路４０２、ビデオアンプ４０３およびＣＲＴユニット４０４が駆動される。これにより、カメラ付玄関子機３００から送出されるＦＭ映像信号が、平衡−不平衡変換回路４０１、ＦＭ復調回路４０２およびビデオアンプ４０３を介してＣＲＴユニット４０４に送出され、このＣＲＴユニット４０４により映像が出画される。
【００１０】
また、これと同時に、ＣＰＵ４１３によって呼出音アンプ４１４が駆動され、この呼出音アンプ４１４の駆動によって、ＣＰＵ４１３から出力する呼出信号が増幅され、これにより拡声スピーカ４１５が鳴動し、居室内の人に対して来客があったことを知らせる。また、かかる呼出信号は、ケーブルｂを経由して、カメラ付玄関子機３００の低域通過フィルター（ＬＰＦ）３０４および２線４線変換回路３１１を介してスピーカアンプ３０８へ送出され、カメラ付玄関子機３００側のスピーカ３０７から呼出確認音が鳴動する。これにより、来客者に対して呼び出しが行われたことを知らせる。なお、呼出音の鳴動後は、ＣＰＵ４１３の制御により、呼出音アンプ４１４の駆動が停止される。
【００１１】
以上のようにして、カメラ付玄関子機３００からモニター親機４００の呼び出しが行なわれた後、一定時間、出画制御回路４０５と玄関子機起動電源送出回路４１０が駆動され、ＣＲＴユニット４０４に映像が出画される。かかる映像の出画状態が維持されることにより、居室内の人は、ＣＲＴユニット４０４に出画する映像を見てから、すなわち、来客者を確認してからカメラ付玄関子機３００からの呼び出しに応対することができる。
【００１２】
しかして、カメラ付玄関子機３００からのモニター親機４００の呼び出し状態が一定時間経過すると、ＣＰＵ４１３の制御により、出画制御回路４０５および玄関子機起動電源送出回路４１０の駆動が停止される。これにより、ＦＭ復調回路４０２、ビデオアンプ４０３およびＣＲＴユニット４０４の駆動が停止され、ＣＲＴユニット４０４の映像が消画すると共に、カメラ付玄関子機３００への起動用電源の送出も停止され、カメラ付玄関子機３００のカメラ回路３０１、ＦＭ変調回路３０２、スピーカアンプ３０８およびマイクアンプ３１０の駆動も停止し、待受状態となる。
【００１３】
【発明が解決しようとする課題】
上記のような従来のテレビインターホン装置においては、居室内の人がＣＲＴユニットからの映像を確認し、これに応答する必要がないと判断した場合、若しくは、居室内に人がいない場合であっても、カメラ付玄関子機からの呼び出しにより、モニター親機のＣＲＴユニットから映像が一定時間出画されるため、無駄な電力を消費してしまうという難点があった。
【００１４】
本発明は、このような難点を解決するためになされたもので、カメラ付玄関子機からの呼び出し時におけるモニタの出画時間を制御することにより、無駄な電力の消費をなくし得るテレビインターホン装置を提供することを目的とするものである。
【００１５】
【課題を解決するための手段】
上記の目的を達成するため、本発明によるテレビインターホン装置は、カメラ付玄関子機からの呼出をモニター親機の呼出検出回路で呼出検出し、カメラ付玄関子機のカメラ回路からの映像をモニター親機のモニタで見ながらカメラ付玄関子機とモニター親機とにより通話を行なうテレビインターホン装置において、モニター親機は、カメラ付玄関子機からの呼出時にモニタの出画時間を設定する呼出時出画時間設定スイッチと、呼出時出画時間設定スイッチにより設定された呼出時出画時間が入力され呼出時にモニタの出画時間を制御するＣＰＵと、ＣＰＵにより制御され出画時間だけ映像を出画させる出画制御回路と、呼出時出画時間設定スイッチの設定によりカメラ付玄関子機の映像系回路および通話系回路を起動させる電源を供給する玄関子機起動電源送出回路と、出時出画時間設定スイッチの設定により通話系回路のみを起動させる電源を供給する通話回路起動電源送出回路とを備え、カメラ付玄関子機は、玄関子機起動電源送出回路から送出される電源により映像系回路を起動させる映像回路起動電圧検出回路と、玄関子機起動電源送出回路および通話回路起動電源送出回路の一方から送出される電源により通話系回路を起動させる通話回路起動電圧検出回路とを備えたことを特徴としている。
【００１６】
このような本発明のテレビインターホン装置によれば、モニタの呼出時出画時間設定スイッチにより、カメラ付玄関子機からの呼び出し時におけるモニタの出画時間を選択できることから、無駄な電力の消費をなくすことができる。
【００１７】
【発明の実施の形態】
以下、本発明のテレビインターホン装置を適用した好ましい形態例を、図面を参照して詳述する。
【００１８】
図１は、本発明によるテレビインターホン装置のブロック図を示している。同図において、本発明によるテレビインターホン装置は、屋外に設置されるカメラ付玄関子機１００と、屋内に設置されるモニター親機２００と、これらのカメラ付玄関子機１００およびモニター親機２００間を接続するケーブルａとを備えている。
【００１９】
カメラ付玄関子機１００は、カメラ回路１０１、ＦＭ変調回路１０２、不平衡−平衡変換回路１０３、低域通過フィルター（ＬＰＦ）１０４、映像回路起動電圧検出回路１０５、呼出ボタン１０６、通話回路起動電圧検出回路１０７、スピーカ１０８、スピーカアンプ１０９、マイク１１０、マイクアンプ１１１および２線４線変換回路１１２を備えている。
【００２０】
カメラ付玄関子機１００のカメラ回路１０１は、ＦＭ変調回路１０２を介して不平衡−平衡変換回路１０３に接続され、この不平衡−平衡変換回路１０３は、ケーブルａを介してモニター親機２００に接続されている。ケーブルａは、低域通過フィルター（ＬＰＦ）１０４を介して、映像回路起動電圧検出回路１０５、呼出ボタン１０６、通話回路起動電圧検出回路１０７および２線４線変換回路１１２に接続され、映像回路起動電圧検出回路１０５には、映像系回路、すなわちカメラ回路１０１とＦＭ変調回路１０２が接続され、通話回路起動電圧検出回路１０７には、通話系回路、すなわちスピーカアンプ１０９とマイクアンプ１１１が接続されている。２線４線変換回路１１２は、通話系回路１０９、１１１に接続され、通話系回路を構成するスピーカアンプ１０９には、スピーカ１０８が、マイクアンプ１１１には、マイク１１０がそれぞれ接続されている。
【００２１】
一方、モニター親機２００は、平衡−不平衡変換回路２０１、ＦＭ復調回路２０２、ビデオアンプ２０３、モニタとしてのＣＲＴユニット２０４、出画制御回路２０５、２線４線変換回路２０６、受話アンプ２０７、送話アンプ２０８、レーシーバ２０９ａとマイク２０９ｂから成る送受話器２０９、玄関子機起動電源送出回路２１０、通話回路起動電源送出回路２１１、呼出検出回路２１２、フックスイッチ２１３、ＣＰＵ２１４、呼出音アンプ２１５、拡声スピーカ２１６、呼出時出画時間設定スイッチ２１７および電源回路２１８を備えている。ここで、呼出時出画時間設定スイッチ２１７は、呼出時の出画時間を４５秒間に設定する第１の切替接点２１７ａと、呼出時の出画時間を２０秒間に設定する第２の切替接点２１７ｂと、留守モード(出画しない)に設定する第３の切替接点２１７ｃとを備えている。
【００２２】
モニター親機２００の平衡−不平衡変換回路２０１は、ケーブルａを介してカメラ付玄関子機１００の不平衡−平衡変換回路１０３に接続され、このケーブルａには、２線４線変換回路２０６、玄関子機起動電源送出回路２１０、通話回路起動電源送出回路２１１および呼出検出回路２１２が接続されている。また、２線４線変換回路２０６は、受話アンプ２０７および送話アンプ２０８に接続され、受話アンプ２０７にはレシーバ２０９ａが、送話アンプ２０８にはマイク２０９ｂがそれぞれ接続されている。ＦＭ復調回路２０２は、平衡−不平衡変換回路２０１およびビデオアンプ２０３に接続され、ビデオアンプ２０３には、モニタとしてのＣＲＴユニット２０４が接続されている。ＣＰＵ２１４は、玄関子機起動電源送出回路２１０、通話回路起動電源送出回路２１１、出画制御回路２０５、受話アンプ２０７、送話アンプ２０８、呼出検出回路２１２、フックスイッチ２１３、呼出音アンプ２１５および呼出時出画時間設定スイッチ２１７に接続され、出画制御回路２０５には、ＦＭ復調回路２０２、ビデオアンプ２０３およびＣＲＴユニット２０４が接続され、呼出音アンプ２１５には、拡声スピーカ２１６およびケーブルａが接続されている。ここで、呼出時出画時間設定スイッチ２１７は、カメラ付玄関子機１００からの呼出時におけるＣＲＴユニット２０４の出画時間を設定する機能を有し、また、ＣＰＵ２１４は、この呼出時出画時間設定スイッチ２１７により設定された呼出時出画時間が入力され、呼出時にＣＲＴユニット２０４の出画時間を制御する機能を有している。
【００２３】
次に、このように構成された本発明のテレビインターホン装置の動作について述べる。先ず、モニター親機２００の呼出時出画時間設定スイッチ２１７が第１の切替接点２１７ａ側若しくは第２の切替接点２１７ｂ側に設定されているものとする。しかして来客者がカメラ付玄関子機１００の呼出ボタン１０６を押すと、呼出信号が、低域通過フィルター（ＬＰＦ）１０３およびケーブルａを経由して、モニター親機２００の呼出検出回路２１２に送出される。しかして、呼出検出回路２１２がカメラ付玄関子機１００からの呼出信号を検出すると、呼出時出画時間設定スイッチ２１７が第１の切替接点２１７ａ側若しくは第２の切替接点２１７ｂ側に設定されていることからＣＰＵ２１４の制御によって、玄関子機起動電源送出回路２１０が駆動され、カメラ付玄関子機１００を起動させる電源が、ケーブルａを介してカメラ付玄関子機１００側へ送出される。
【００２４】
しかして、かかるカメラ付玄関子機１００を起動させる電源は、カメラ付玄関子機１００の映像回路起動電圧検出回路１０５および通話回路起動電圧検出回路１０７で検出され、この検出より、映像系回路１０１、１０２および通話系回路１０９、１１１へ電源が供給される。これにより、カメラ付玄関子機１００のカメラ回路１０１から送出されるＦＭ映像信号が、ＦＭ変調回路１０２、不平衡−平衡変換回路１０３およびケーブルａを介してモニター親機２００側へ送出され、また、通話系回路１０９、１１１が駆動し、通話可能状態となる。
【００２５】
また、これと同時に、モニター親機２００のＣＰＵ２１４によって呼出音アンプ２１５が駆動され、この呼出音アンプ２１５の駆動によってＣＰＵ２１４から出力する呼出信号が増幅され、これにより拡声スピーカ２１６が鳴動し、居室内の人に対して、来客があったことを知らせる。また、かかる呼出信号は、ケーブルａを経由して、カメラ付玄関子機１００の低域通過フィルター（ＬＰＦ）１０４および２線４線変換回路１１２を介して通話系回路１０９、１１１へ送出され、カメラ付玄関子機１００側のスピーカ１０８から呼出確認音が鳴動する。これにより、来客者に対して、呼び出しが行われたことを知らせる。
【００２６】
一方、ＣＰＵ２１４の制御により、出画制御回路２０５が駆動され、これによりＦＭ復調回路２０２、ビデオアンプ２０３およびＣＲＴユニット２０４が駆動され、カメラ付玄関子機１００から送出されてくるＦＭ映信号が、平衡−不平衡変換回路２０１、ＦＭ復調回路２０２、ビデオアンプ２０３を経由してＣＲＴユニット２０４へ入力され、このＣＲＴユニット２０４により映像が出画される。ここで、呼出時出画時間設定スイッチ２１７が２１７ａ側に設定されている場合は、４５秒間、２１７ｂ側に設定されている場合は、２０秒間、それぞれＣＲＴユニット２０４により出画される。また、応答しない場合、すなわち設定された出画時間内に送受話器２０９を取り上げない場合は、ＣＰＵ２１４によって、出画制御回路２０５および玄関子機起動電源送出回路２１０の駆動が停止され、これによりカメラ付玄関子機１００の起動が停止し、映像が消画して待受状態となる。
【００２７】
以上により、居室内の人は、呼出時出画時間設定スイッチ２１７を応答可能な時間に設定することにより、カメラ付玄関子機１００のカメラ回路１０１からの映像をモニタとしてのＣＲＴユニット２０４で確認してから来客者に応対することができる。
【００２８】
しかして、送受話器２０９を取り上げると、フックスイッチ２１３が作動し、ＣＰＵ２１４により、来客者に対して居室内の人が送受話器２０９を取り上げたことを知らせる。これにより、モニター親機２００のＣＰＵ２１４により、受話アンプ２０７および送話アンプ２０８が駆動され、送受話器２０９を構成するマイク２０９ｂから音声信号が出力され、この音声信号が送話アンプ２０８、２線４線変換回路２０６、ケーブルａ、低域通過フィルター（ＬＰＦ）１０４、２線４線変換回路１１２、スピーカアンプ１０９を経由して、カメラ付玄関子機１００のスピーカ１０８へ送出される。また、カメラ付玄関子機１００マイク１１０からの音声信号は、マイクアンプ１１１、２線４線変換回路１１２、低域通過フィルター（ＬＰＦ）１０４、ケーブルａ、２線４線変換回路２０６および受話アンプ２０７を経由してレシーバ２０９ａへ送出される。
【００２９】
これにより、カメラ付玄関子機１００のカメラ回路１０１からの映像をモニター親機２００のＣＲＴユニット２０４で見ながら、カメラ付玄関子機１００とモニター親機２００とにより通話を行なうことが可能となる。
【００３０】
通話終了後、送受話器２０９をおろすと、フックスイッチ２１３が作動し、ＣＰＵ２１４により、出画制御回路２０５、玄関子機起動電源送出回路２１０、受話アンプ２０７および送話アンプ２０８の駆動が停止する。また、玄関子機起動電源送出回路２１０の駆動が停止することにより、カメラ付玄関子機１００の起動が停止して、映像が消画し、通話を止めて、待受状態となる。
【００３１】
次にモニター親機２００の呼出時出画時間設定スイッチ２１７が第３の切替接点２１７ｃ側に設定されているものとする。しかして、来客者がカメラ付玄関子機１００の呼出ボタン１０６を押すと、呼出信号が、低域通過フィルター（ＬＰＦ）１０３およびケーブルａを経由して、モニター親機２００の呼出検出回路２１２に送出される。しかして、呼出検出回路２１２がカメラ付玄関子機１００からの呼出信号を検出すると、呼出時出画時間設定スイッチ２１７が第３の切替接点２１７ｃ側に設定されていることからＣＰＵ２１４の制御によって、通話回路起動電源送出回路２１１が駆動され、これによりカメラ付玄関子機１００の通話系回路１０９、１１１を起動させる電源が、ケーブルａを介してカメラ付玄関子機１００側へ送出される。ここで、映像回路起動電圧検出回路１０５は、モニター親機２００から送出される通話系回路の起動電圧では駆動されないように設定されている。従って、通話系回路１０９、１１１を起動させる電源が、カメラ付玄関子機１００に送られてきた場合、通話回路起動電圧検出回路１０７のみが駆動し、映像回路起動電圧検出回路１０５は駆動しないことになる。
【００３２】
しかして、かかる通話系回路１０９、１１１のみを起動させる電源は、カメラ付玄関子機１００の通話回路起動電圧検出回路１０７で検出され、これにより、カメラ付玄関子機１００の通話系回路１０９、１１１が作動し、通話可能状態となる。
【００３３】
また、これと同時に、モニター親機２００のＣＰＵ２１４によって呼出音アンプ２１５が駆動され、この呼出音アンプ２１５の駆動によってＣＰＵ２１４から出力する呼出信号が増幅され、これにより拡声スピーカ２１６が鳴動し、居室内の人に対して、来客があったことを知らせる。また、かかる呼出信号は、ケーブルａを経由して、カメラ付玄関子機１００の低域通過フィルター（ＬＰＦ）１０４および２線４線変換回路１１２を介して通話系回路１０９、１１１へ送出され、カメラ付玄関子機１００側のスピーカ１０８から呼出確認音が鳴動する。これにより、来客者に対して、呼び出しが行われたことを知らせる。
【００３４】
しかして、送受話器２０９を取り上げると、フックスイッチ２１３が作動し、ＣＰＵ２１４により、来客者に対して居室内の人が送受話器２０９を取り上げたことを知らせる。これにより、モニター親機２００のＣＰＵ２１４により、受話アンプ２０７および送話アンプ２０８が駆動され、送受話器２０９を構成するマイク２０９ｂから音声信号が出力され、この音声信号が送話アンプ２０８、２線４線変換回路２０６、ケーブルａ、低域通過フィルター（ＬＰＦ）１０４、２線４線変換回路１１２、スピーカアンプ１０９を経由して、カメラ付玄関子機１００のスピーカ１０８へ送出される。また、カメラ付玄関子機１００マイク１１０からの音声信号は、マイクアンプ１１１、２線４線変換回路１１２、低域通過フィルター（ＬＰＦ）１０４、ケーブルａ、２線４線変換回路２０６および受話アンプ２０７を経由してレシーバ２０９ａへ送出される。
【００３５】
これにより、カメラ付玄関子機１００とモニター親機２００とにより通話を行なうことが可能となる。
【００３６】
通話終了後、送受話器２０９をおろすと、フックスイッチ２１３が作動し、ＣＰＵ２１４により、通話回路起動電源送出回路２１１、受話アンプ２０７および送話アンプ２０８の駆動が停止する。また、通話回路起動電源送出回路２１１の駆動が停止することにより、カメラ付玄関子機１００の起動が停止して通話を止めて、待受状態となる。また、応答しない場合は、ＣＰＵ２１４によって、通話回路起動電源送出回路２１１の駆動が停止され、これによりカメラ付玄関子機１００の起動が停止し、待受状態となる。
【００３７】
【発明の効果】
以上の説明から明らかなように、本発明によるテレビインターホン装置によれば、モニター親機の呼出時出画時間設定スイッチにより、カメラ付玄関子機からの呼び出し時の出画時間を選択できることにより、無駄な電力の消費をなくすことができる。
【図面の簡単な説明】
【図１】  本発明のテレビインターホン装置のブロック図。
【図２】  従来のテレビインターホン装置のブロック図。
【符号の説明】
１００・・・カメラ付玄関子機
１０１・・・カメラ回路
２００・・・モニター親機
２０４・・・ＣＲＴユニット（モニタ）
２０５・・・出画制御回路
２１２・・・呼出検出回路
２１４・・・ＣＰＵ
２１７・・・呼出時出画時間設定スイッチ
【図１】
0004220089.tif 000002
【図２】
0004220089.tif 000003